(57)【要約】【課題】省電力制御のための専用のＭＰＵを用いることなく、簡単な構成で省電力制御を行うことができ、待機時における電力消費を大幅に低減すること。【解決手段】スイッチ回路１１がオフであっても電源から電流が供給されて動作するラッチ回路１５を設け、ラッチ回路がラッチ状態であるときにスイッチ回路をオフし、ラッチ解除状態であるときにスイッチ回路をオンするように制御し、スイッチ回路がオンであるときに自動復帰型の操作スイッチＳＷ１が操作されることによって、主負荷回路１４におけるオフ処理動作を実行させてラッチ回路１５をラッチ状態とし、これによってスイッチ回路をオフし、スイッチ回路がオフであるときに操作スイッチＳＷ１が操作されることによって、ラッチ回路１５をラッチ解除状態とし、これによってスイッチ回路１１をオンする。【選択図】      図１
2005312162.tif 000002
【特許請求の範囲】
【請求項１】
主負荷回路、前記主負荷回路に流れる過電流を検出する過電流検出回路、および、前記過電流検出回路が過電流を検出したときに外部の電源から前記主負荷回路へ供給される負荷電流をオフするためのスイッチ回路を有した電子機器における省電力のための制御方法であって、
前記スイッチ回路がオフであっても前記電源から電流が供給されて動作するラッチ回路を設け、前記ラッチ回路がラッチ状態であるときに前記スイッチ回路をオフし、ラッチ解除状態であるときに前記スイッチ回路をオンするように制御し、
前記スイッチ回路がオンであるときに自動復帰型の操作スイッチが操作されることによって、前記主負荷回路におけるオフ処理動作を実行させて前記ラッチ回路をラッチ状態とし、これによって前記スイッチ回路をオフし、
前記スイッチ回路がオフであるときに自動復帰型の操作スイッチが操作されることによって、前記ラッチ回路をラッチ解除状態とし、これによって前記スイッチ回路をオンする、
ことを特徴とする電子機器における省電力制御方法。
【請求項２】
前記ラッチ回路は、前記過電流検出回路が過電流を検出したときにラッチ状態となり、これによって前記スイッチ回路をオフする、
請求項１記載の電子機器における省電力制御方法。
【請求項３】
主負荷回路、前記主負荷回路に流れる過電流を検出する過電流検出回路、および、前記過電流検出回路が過電流を検出したときに外部の電源から前記主負荷回路へ供給される負荷電流をオフするためのスイッチ回路を有した電子機器における省電力のための制御装置であって、
前記スイッチ回路がオフであっても前記電源から電流が供給されてラッチ状態とラッチ解除状態とが切り換わるように動作し、ラッチ状態であるときに前記スイッチ回路をオフし、ラッチ解除状態であるときに前記スイッチ回路をオンするラッチ回路と、
前記スイッチ回路がオンであるときに操作されることによって、前記主負荷回路におけるオフ処理動作を実行させて前記ラッチ回路をラッチ状態とし、前記スイッチ回路がオフであるときに操作されることによって、前記ラッチ回路をラッチ解除状態とする、自動復帰型の操作スイッチと、
を有してなることを特徴とする電子機器における省電力制御装置。
【請求項４】
主負荷回路と、
前記主負荷回路に流れる過電流を検出する過電流検出回路と、
前記過電流検出回路が過電流を検出したときに、外部の電源から前記主負荷回路へ供給される負荷電流をオフするためのスイッチ回路と、
前記スイッチ回路がオフであっても前記電源から電流が供給されてラッチ状態とラッチ解除状態とが切り換わるように動作し、前記過電流検出回路が過電流を検出したときにラッチ状態となって前記スイッチ回路をオフし、ラッチ解除状態となったときに前記スイッチ回路をオンするラッチ回路と、
自動復帰型の操作スイッチと、を有し、
前記スイッチ回路がオンであって前記主負荷回路が動作しているときに前記操作スイッチが操作されることによって、前記主負荷回路においてオフ処理動作が実行されて前記ラッチ回路をラッチ状態に切り換え、前記スイッチ回路がオフであって前記主負荷回路が動作していないときに前記操作スイッチが操作されることによって、前記ラッチ回路をラッチ解除状態に切り換えるように制御されてなる、
ことを特徴とする省電力型電子機器。
【請求項５】
前記主負荷回路はマイクロプロセッサを含んでおり、前記操作スイッチが操作されることによって、前記マイクロプロセッサが前記オフ処理動作を実行するように構成され、
前記過電流検出回路が過電流を検出したときに出力される検出信号と、前記マイクロプロセッサが前記オフ処理動作を実行することによって出力されるオフ指令信号との論理和を得るオア回路が設けられ、前記オア回路から出力されるオフ指令信号によって前記ラッチ回路を切り換えるように構成されてなる、
請求項４記載の省電力型電子機器。
【発明の詳細な説明】
【技術分野】
【０００１】
本発明は、表示装置などの電子機器における省電力制御方法および装置、さらには表示装置などの省電力型電子機器に関する。
【背景技術】
【０００２】
近年において、テレビジョンやパーソナルコンピュータのモニター（表示装置またはディスプレイ）として、ＬＣＤパネルや有機ＥＬなどのフラットパネルがしばしば用いられている。これらのモニターでは、ユニット化されたＡＣアダプターを介して電源の供給を受けることが多い。モニターでは、その待機電力を低減することが重要な課題となっている。
【０００３】
すなわち、モニターの電源としてＡＣアダプターを用いた場合には、モニターの操作によってＡＣアダプターの１次側つまりＡＣラインをオンオフすることができないため、どうしてもＡＣアダプター自体の待機電力をゼロにすることはできない。
【０００４】
そこで、モニターを始めとする一般の電子機器において、その２次側の電力をいかに省電力化するかについて、従来から種々の工夫がなされている。その代表的な例によると、モニターの内部のサブシステムとしてＭＰＵ（マイクロプロセッサユニット）を搭載し、そのＭＰＵによって、待機時における電力制御を行う。
【０００５】
そのような電力制御の内容は、例えば、パーソナルコンピュータにおいて、一定時間操作しない場合に、モニターやハードディスクへの給電を停止したり、ＣＰＵ（ＭＰＵ）の動作速度を落とすことなどである。
【０００６】
また、省電力モードになったときに、コンバータの発振周波数を低下させるように制御する電源装置も提案されている（特許文献１）。
【特許文献１】特開平２００４−１１２９１３号
【発明の開示】
【発明が解決しようとする課題】
【０００７】
しかし、従来の省電力制御方法によると、省電力制御のために別途設けたＭＰＵが制御を行うものであるため、省電力モードまたは待機モードであっても、ＭＰＵが動作するに必要なかなりの電力を消費することになる。しかも、省電力制御のための専用のＭＰＵが必要であるため、それだけ回路構成が複雑となってコスト高になるという問題がある。
【０００８】
一方、例えばモニターの電源のオンオフを制御するために、自己保持型のスイッチ、例えば、自己保持型押しボタンスイッチ、スライドスイッリ、ロータリースイッチなどが用いられることがある。この場合には、スイッチをオフすることによって電源側と負荷側とを完全に切り離すことができ、しかもその状態が機械的に保持されるので、待機時における消費電力を最低にすることができる。しかしその反面、スイッチの形状が大きくなるので、電子機器の操作面の表面積が大きくなり、機器の小型化にとって不利となる。
【０００９】
特に、モニターにおいては、液晶パネルなどによる表示面の周囲がフロントパネルとなっており、そのようなスイッチはフロントパネルに設けられるものであることから、スイッチの形状が大きいとそれだけフロントパネルが大きくなり、デザインの点からも不利である。また、自己保持型のスイッチを用いた場合にはリモートコントロールの対応が困難となる。
【００１０】
本発明は、上述の問題に鑑みてなされたもので、省電力制御のための専用のＭＰＵを用いることなく、簡単な構成で省電力制御を行うことができ、待機時における電力消費を大幅に低減することを課題とする。
【課題を解決するための手段】
【００１１】
本発明の制御方法は、主負荷回路、前記主負荷回路に流れる過電流を検出する過電流検出回路、および、前記過電流検出回路が過電流を検出したときに外部の電源から前記主負荷回路へ供給される負荷電流をオフするためのスイッチ回路を有した電子機器における省電力のための制御方法であって、前記スイッチ回路がオフであっても前記電源から電流が供給されて動作するラッチ回路を設け、前記ラッチ回路がラッチ状態であるときに前記スイッチ回路をオフし、ラッチ解除状態であるときに前記スイッチ回路をオンするように制御し、前記スイッチ回路がオンであるときに自動復帰型の操作スイッチが操作されることによって、前記主負荷回路におけるオフ処理動作を実行させて前記ラッチ回路をラッチ状態とし、これによって前記スイッチ回路をオフし、前記スイッチ回路がオフであるときに自動復帰型の操作スイッチが操作されることによって、前記ラッチ回路をラッチ解除状態とし、これによって前記スイッチ回路をオンする。
【００１２】
好ましくは、前記ラッチ回路は、前記過電流検出回路が過電流を検出したときにラッチ状態となり、これによって前記スイッチ回路をオフする。
【００１３】
本発明に係る電子機器は、主負荷回路と、前記主負荷回路に流れる過電流を検出する過電流検出回路と、前記過電流検出回路が過電流を検出したときに、外部の電源から前記主負荷回路へ供給される負荷電流をオフするためのスイッチ回路と、前記スイッチ回路がオフであっても前記電源から電流が供給されてラッチ状態とラッチ解除状態とが切り換わるように動作し、前記過電流検出回路が過電流を検出したときにラッチ状態となって前記スイッチ回路をオフし、ラッチ解除状態となったときに前記スイッチ回路をオンするラッチ回路と、自動復帰型の操作スイッチと、を有し、前記スイッチ回路がオンであって前記主負荷回路が動作しているときに前記操作スイッチが操作されることによって、前記主負荷回路においてオフ処理動作が実行されて前記ラッチ回路をラッチ状態に切り換え、前記スイッチ回路がオフであって前記主負荷回路が動作していないときに前記操作スイッチが操作されることによって、前記ラッチ回路をラッチ解除状態に切り換えるように制御されてなる。
【００１４】
そして、例えば、前記主負荷回路はマイクロプロセッサを含んでおり、前記操作スイッチが操作されることによって、前記マイクロプロセッサが前記オフ処理動作を実行するように構成され、前記過電流検出回路が過電流を検出したときに出力される検出信号と、前記マイクロプロセッサが前記オフ処理動作を実行することによって出力されるオフ指令信号との論理和を得るオア回路が設けられ、前記オア回路から出力されるオフ指令信号によって前記ラッチ回路を切り換えるように構成される。
【発明の効果】
【００１５】
本発明によると、省電力制御のための専用のＭＰＵを用いることなく、簡単な構成で省電力制御を行うことができ、待機時における電力消費を大幅に低減することができる。
【００１６】
しかも、小型の操作スイッチを用いることができるので電子機器の小型化に有利であり、リモートコントロールの対応も容易である。
【発明を実施するための最良の形態】
【００１７】
〔第１の実施形態〕
図１は本発明に係る第１の実施形態の省電力制御回路ＳＫ１を内蔵した電子機器１０の全体の構成を機能的に示すブロック図、図２は電子機器１０の外観を示す斜視図、図３は電子機器１０の主として省電力制御動作を示すタイミング図、図４は電子機器１０の省電力制御動作を示すフローチャート、図５は電子機器１０の過電流検出時の動作を示すフローチャートである。
【００１８】
図１および図２において、全体のシステム１は、ＡＣライン３、ＡＣアダプタ４、および電子機器１０から構成される。
【００１９】
ＡＣライン３は、通常の電力系統に接続された交流の電源ラインであり、例えばＡＣ１００Ｖの交流電力Ｐ１を供給する。ＡＣアダプタ４は、ＡＣライン３から供給される交流電力Ｐ１を、適当な電圧値の直流電力Ｐ２に変換して出力する。
【００２０】
電子機器１０は、本実施形態ではパーソナルコンピュータに用いられるモニターである。図２に示すように、電子機器１０は、表示部本体３１および支持装置３２からなる。表示部本体３１は、液晶パネルなどからなる表示面ＨＧと、表示面ＨＧの周囲を囲うフロントパネルＦＰとを有する。フロントパネルＦＰの下方には、電源のオンオフの操作を行うための操作スイッチＳＷ１、および電源がオン状態のときに点灯する表示灯ＬＥ１が設けられている。
【００２１】
図１に戻って、電子機器１０は、スイッチ回路１１、過電流検出回路１２、主電源回路１３、主負荷回路１４、ラッチ回路１５、および、上に述べた操作スイッチＳＷ１などを有する。
【００２２】
スイッチ回路１１は、外部の電源であるＡＣアダプタ４から供給される直流電力Ｐ２をオンまたはオフするものである。つまり、スイッチ回路１１がオンのときに、主電源回路１３および主負荷回路１４などに直流電力Ｐ２が供給され、主負荷回路１４が本来の目的に沿った通常の動作を行う。スイッチ回路１１として、ＦＥＴ、スイッチングトランジスタ、サイリスタ、リレーなどを用いることが可能である。スイッチ回路１１がオフになると、主電源回路１３および主負荷回路１４などへの電力の供給は停止する。スイッチ回路１１がオフの場合に、電力が供給されるのはラッチ回路１５のみとなる。なお、直流電力Ｐ２，Ｐ３，Ｐ４は、互いに同じ電圧の電力である。
【００２３】
このように、スイッチ回路１１は、電子機器１０の主電源スイッチとして機能する。また、スイッチ回路１１は、主電源回路１３および主負荷回路１４などに過電流が流れたときにそれらを電源から遮断して電子機器１０を保護するための保護スイッチとしても機能する。
【００２４】
過電流検出回路１２は、主電源回路１３および主負荷回路１４に流れる過電流を検出する。つまり、主電源回路１３や主負荷回路１４などに、設定された値以上の電流が流れると、それを検出し、検出信号Ｓ２を出力する。
【００２５】
主電源回路１３は、ＡＣアダプタ４から出力される直流電力Ｐ２を受けて、これを各部に必要な種々の電圧に変換して出力するものである。主電源回路１３の主出力によって、主負荷回路１４が動作する。
【００２６】
主負荷回路１４には、本実施形態において、液晶パネルの回路、バックライトの回路、それらの制御回路、信号処理回路、インタフェース回路などが含まれる。主負荷回路１４にはＭＰＵ（マイクロプロセッサ）１４１が含まれている。ＭＰＵ１４１は、電子機器１０の本来の機能を実現するために必要な処理および制御を行うものであり、いわゆる省電力制御のためのものではない。したがって、ＭＰＵ１４１は、電子機器１０において省電力制御が行われている間は、その動作が完全に停止される。
【００２７】
ＭＰＵ１４１は、操作スイッチＳＷ１が操作されたとき、つまりＭＰＵ１４１の動作中において操作スイッチＳＷ１からの操作信号Ｓ１が入力されたときに、オフ処理動作を実行する。ＭＰＵ１４１のオフ処理動作は、電子機器１０の電源をオフにするために必要な処理であり、例えば、その時点での操作状態や動作状態の設定データまたは環境データをメモリなどに保存する処理、回路や素子が安全にオフできるように順序よく電源をオフしていく処理などである。これによって、次回に電源をオンしたときに、保存されたデータなどを基に電子機器１０の初期化を行って現時点と同じ状態で動作を開始することができる。このようなオフ処理動作それ自体は公知である。主負荷回路１４からは、ＭＰＵ１４１のオフ処理動作の最終段階において、オフ指令信号Ｓ３が出力される。
【００２８】
ラッチ回路１５は、入力信号に応じてラッチ状態とラッチ解除状態とが切り換わり、ラッチ状態のときにトリップ信号Ｓ４を出力する。ラッチ状態が解除されたとき、つまりラッチ解除状態であるときには、トリップ信号Ｓ４をオフする。
【００２９】
つまり、ラッチ回路１５は、オア回路１５１およびラッチ部１５２を有する。オア回路１５１には、検出信号Ｓ２およびオフ指令信号Ｓ３が入力され、これらのいずれかがオンになると、ラッチ部１５２がセットされ、ラッチ状態となる。ラッチ状態になると、トリップ信号Ｓ４ＧＡ力される。操作スイッチＳＷ１からの操作信号Ｓ１が入力されると、ラッチ部１５２がリセットされ、ラッチ解除状態となる。
【００３０】
したがって、主負荷回路１４からオフ指令信号Ｓ３が出力されると、オア回路１５１に入力され、ラッチ部１５２がセットされる。これによって、ラッチ部１５２はラッチ状態となり、トリップ信号Ｓ４を出力する。トリップ信号Ｓ４は、スイッチ回路１１に入力され、スイッチ回路１１はオフとなる。これによって、主電源回路１３および主負荷回路１４などへの直流電力Ｐ３の供給が停止される。ただし、この場合においても、ラッチ回路１５への直流電力Ｐ２の供給は継続される。
【００３１】
この状態が、電子機器１０の電源オフの状態である。電源オフの状態では、ラッチ回路１５以外には電源が供給されておらず、電力を消費するのはラッチ回路１５のみである。しかし、ラッチ回路１５は、オフ指令信号Ｓ３を保持するのみであるから、トランジスタなどを用いた簡単な回路によって構成することができ、その消費電力は極めて少ない。
【００３２】
ラッチ回路１５には、オア回路１５１が設けられており、過電流検出回路１２からの検出信号Ｓ２が入力されている。したがって、検出信号Ｓ２が入力されると、オフ指令信号Ｓ３が入力された場合と同様に、ラッチ部１５２がセットされ、ラッチ状態となる。これによってトリップ信号Ｓ４を出力し、スイッチ回路１１をオフとする。つまり、過電流検出回路１２によって過電流が検出されると、スイッチ回路１１が遮断され、主電源回路１３および主負荷回路１４などが入力側の直流電力Ｐ２から切り離される。これによって、電子機器１０が故障や過負荷などから保護され、大事に至らないようになっている。このような過電流からの保護動作それ自体は公知である。
【００３３】
なお、この実施形態においては、過電流検出回路１２を設けたが、これに代えて、またはこれとともに過電圧検出回路や異常温度検出回路などを設け、過電流および過電圧の両方などに対して検出信号Ｓ２を出力するようにしてもよい。
【００３４】
過電流検出回路１２が働いてスイッチ回路１１がオフした場合に、その復帰のためには、次に説明するように操作スイッチＳＷ１を操作するか、またはＡＣアダプタ４の交流電力Ｐ１の側または直流電力Ｐ２の側の接続部を一旦引き抜いて電源を切ればよい。
【００３５】
次に、図３に示すタイミング図を参照して、電子機器１０における省電力制御について説明する。
【００３６】
まず、電子機器１０の電源がオフの状態のときに、電子機器１０の電源をオンにする操作について説明する。
【００３７】
すなわち、操作スイッチＳＷ１を操作して操作信号Ｓ１が出力されると（Ｔ１）、操作信号Ｓ１によってラッチ回路１５のラッチ部１５２がリセットされ（Ｔ２）、ラッチ解除状態となる。これによってトリップ信号Ｓ４がオフし、スイッチ回路１１がオンに切り換わる（Ｔ３）。スイッチ回路１１がオンになると、主電源回路１３に直流電力Ｐ４が供給され、これによって主負荷回路１４になどに直流電力Ｐ５が供給され、通常の動作が行われる（Ｔ４）。
【００３８】
なお、操作スイッチＳＷ１を操作すると、その操作信号Ｓ１がＭＰＵ１４１にも入力されるが、その時点では主負荷回路１４には電源が供給されておらず、ＭＰＵ１４１は動作していないため、ＭＰＵ１４１は何の処理も行わない。
【００３９】
次に、主負荷回路１４が動作中であるときに、操作スイッチＳＷ１を操作して操作信号Ｓ１が出力されると（Ｔ５）、ＭＰＵ１４１はオフ処理動作を開始する（Ｔ６）。オフ処理動作の最終段階において、オフ指令信号Ｓ３が出力される（Ｔ７）。オフ指令信号Ｓ３が出力されると、ラッチ部１５２がセットされ（Ｔ８）、トリップ信号Ｓ４によってスイッチ回路１１はオフとなる（Ｔ９）。これによって、主電源回路１３および主負荷回路１４などへの直流電力Ｐ３の供給が停止される（Ｔ１０）。
【００４０】
また、主負荷回路１４が動作中であるときに、過電流検出回路１２から検出信号Ｓ２が出力されると（Ｔ１１）、ラッチ部１５２がラッチ状態となる（Ｔ１２）。これによってスイッチ回路１１がオフとなり（Ｔ１３）、主負荷回路１４などが入力側の直流電力Ｐ２から切り離される（Ｔ１４）。
【００４１】
次に、図４および図５に示すフローチャートを参照して、電子機器１０における省電力制御について説明する。
【００４２】
図４において、操作スイッチＳＷ１をオンしたときに（＃１１でイエス）、スイッチ回路１１がオンであれば（＃１２でイエス）、ＭＰＵ１４１はオフ処理動作を開始する（＃１３）。そして、オフ指令信号Ｓ３を出力し、ラッチ部１５２をセットする（＃１４）。これによって、スイッチ回路１１がオフとなり（＃１５）、主電源回路１３への直流電力Ｐ３の供給が停止される。
【００４３】
また、操作スイッチＳＷ１をオンしたときにスイッチ回路１１がオフであれば（＃１２でノー）、ラッチ部１５２をリセットし（＃１６）、スイッチ回路１１がオンとなり（＃１７）、主電源回路１３への直流電力Ｐ３の供給が開始される。
【００４４】
図５において、主負荷回路１４が動作中であるときに、過電流検出回路１２が過電流を検出すると（＃２１でイエス）、ラッチ部１５２をセットし（＃２２）、スイッチ回路１１をオフとする（＃２３）。
【００４５】
上に述べた第１の実施形態によると、省電力制御のための専用のＭＰＵを用いることなく、簡単な構成で省電力制御を行うことができる。その結果、待機時における電力消費を大幅に低減することができる。
【００４６】
また、操作スイッチＳＷ１として、小型の自動復帰型のスイッチを用いることができる。例えば、シートスイッチ、フィルムスイッチなど、指で押すなどの何らかの操作によって動作し、操作を停止すると復帰する種々の小型のスイッチを用いることができる。したがって、電子機器１０の小型化に有利である。特に、本実施形態のように電子機器１０がモニターである場合に、操作スイッチＳＷ１として小型のものを用いることができるので、フロントパネルＦＰの面積を小さくすることができる。したがって、モニターの全体を小さくし、デザインの点からも有利である。
【００４７】
さらに、ラッチ回路１５内に、リモートコントロールのための受信回路を追加し、リモート操作された電源のオンオフの信号を検出してリモコン操作信号を出力し、これを操作スイッチＳＷ１の操作信号Ｓ１との論理和として用いることにより、リモートコントロールに容易に対応することができる。しかも、その場合に、電子機器１０が電源オフの状態において電力の消費にリモートコントロールの受信回路が追加されるのみであるので、省電力化の効果は充分にある。
〔第２の実施形態〕
図６は本発明に係る第２の実施形態の省電力制御回路ＳＫ２を内蔵した電子機器１０Ｂの全体の構成を機能的に示すブロック図である。
【００４８】
第２の実施形態においては、第１の実施形態に示す電子機器１０をやや具体的に示しており、回路の配置についても若干の変更がある。しかし、基本的な機能は第１の実施形態と同様であるから、それらについては第１の実施形態の説明を参照できる。
【００４９】
図６において、ＡＣアダプタ４は、ＡＣライン３から供給される交流電力Ｐ１を、適当な電圧値の直流電力Ｐ２に変換して出力する。電子機器１０ＢとはプラグＧ１とジャックＪ１とによって接続される。
【００５０】
電子機器１０Ｂは、過電流検出回路１２Ｂ、スイッチ回路１１Ｂ、主負荷回路１４Ｂ、ラッチ回路１５Ｂ、操作回路２１、およびオア回路１５１などを有する。主負荷回路１４Ｂには主電源回路１３Ｂが含まれている。操作回路２１は、操作スイッチＳＷ１およびバッファ回路２１１を有する。
【００５１】
ＡＣアダプタ４からの直流電力Ｐ２は、過電流検出回路１２Ｂに入力され、その後にスイッチ回路１１Ｂに入力される。過電流検出回路１２Ｂとして、例えば、１０分の数オームから数オーム程度の抵抗が用いられる。その抵抗の両端の電圧が所定値を越えたときにオンとなるようなトランジスタ回路を設けておけばよい。
【００５２】
操作スイッチＳＷ１の操作を行うと、操作信号Ｓ１が出力され、ＭＰＵ１４１に入力されるとともに、バッファ回路２１１を介してラッチ部１５２のリセット端子にも入力される。バッファ回路２１１には、スイッチ回路１１Ｂのオンオフと関係なく直流電力Ｐ２が供給される。
【００５３】
ＭＰＵ１４１から出力されるオフ指令信号Ｓ３および過電流検出回路１２Ｂから出力される検出信号Ｓ２は、ともにオア回路１５１に入力され、オア回路１５１の出力はラッチ部１５２のセット端子に入力される。
【００５４】
電子機器１０Ｂの省電力制御の内容については、第１の実施形態における説明と同様である。
【００５５】
第２の実施形態の電子機器１０Ｂにおいても、省電力制御のための専用のＭＰＵを用いることなく、簡単な構成で省電力制御を行うことができる。
〔第３の実施形態〕
図７は本発明に係る第３の実施形態の省電力制御回路ＳＫ３を内蔵した電子機器１０Ｃの全体の構成を機能的に示すブロック図、図８は電子機器１０Ｃの省電力制御動作を示すタイミング図、図９は電子機器１０Ｃの省電力制御動作を示すフローチャートである。
【００５６】
第３の実施形態においては、第２の実施形態に示す電子機器１０Ｂをさらに具体的に示している。しかし、基本的な機能は第１または第２の実施形態と同様である。
【００５７】
図７において、過電流検出回路１２Ｃは、ジャックＪ１に接続された２つの抵抗Ｒ１，Ｒ２、トランジスタＱ１、抵抗Ｒ３、およびコンデンサＣ１によって構成される。スイッチ回路１１Ｃは、スイッチ素子Ｑ２、抵抗Ｒ４，Ｒ５、コンデンサＣ２、トランジスタＱ５、抵抗Ｒ１１，Ｒ１２などによって構成される。オア回路１５１Ｃは、２つのダイオードＤ１，Ｄ２、抵抗Ｒ１４，Ｒ１３、およびトランジスタＱ６によって構成される。
【００５８】
ラッチ回路１５Ｃは、２つのトランジスタＱ３，Ｑ４、および抵抗Ｒ６〜Ｒ１０によって構成される。バッファ回路２１１Ｃは、トランジスタＱ７，Ｑ８、抵抗Ｒ１５〜Ｒ１８、およびコンデンサＣ４によって構成される。
【００５９】
図８において、操作スイッチＳＷ１を操作して抵抗Ｒ１８の一方の端子が接地されると（Ｔ２１）、これによってトランジスタＱ８がオンし（Ｔ２２）、さらにトランジスタＱ７がオンする（Ｔ２３）。トランジスタＱ７のオンによってトランジスタＱ４がオフし（Ｔ２４）、トランジスタＱ３もオフする（Ｔ２５）。これによってラッチ回路１５Ｃはラッチ解除状態となる。
【００６０】
ラッチ解除状態になると、トランジスタＱ５もオフし（Ｔ２６）、スイッチ素子Ｑ２はオンする（Ｔ２７）。これによって、主負荷回路１４Ｃに直流電力Ｐ４が供給され、ＭＰＵ１４１などが通常の動作を行う（Ｔ２８）。
【００６１】
次に、主負荷回路１４Ｃが動作中であるときに、操作スイッチＳＷ１を操作して操作信号Ｓ１が発生すると（Ｔ２９）、ＭＰＵ１４１はオフ処理動作を開始する（Ｔ３０）。オフ処理動作の結果、オフ指令信号Ｓ３が出力される（Ｔ３１）。オフ指令信号Ｓ３が出力されると、トランジスタＱ６がオンし（Ｔ３２）、これによってトランジスタＱ３をオンし（Ｔ３３）、トランジスタＱ４もオンする（Ｔ３４）。同時にトランジスタＱ５がオンし（Ｔ３５）、スイッチ素子Ｑ２がオフする（Ｔ３６）。トランジスタＱ３がオンすることによってトランジスタＱ４がオンし、この状態が維持される。
【００６２】
また、主負荷回路１４Ｃが動作中であるときに、過電流検出回路１２Ｃから検出信号Ｓ２が出力されると（Ｔ３７）、トランジスタＱ６がオンし（Ｔ３８）、トランジスタＱ３およびトランジスタＱ４がオンする（Ｔ３９，Ｔ４０）。同時にトランジスタＱ５がオンし（Ｔ４１）、スイッチ素子Ｑ２がオフする（Ｔ４２）。
【００６３】
図９において、操作スイッチＳＷ１をオンしたときに（＃３１でイエス）、スイッチ素子Ｑ２がオンであれば（＃３２でイエス）、ＭＰＵ１４１はオフ処理動作を開始する（＃３３）。その結果、オフ指令信号Ｓ３を出力し（＃３４）、トランジスタＱ６がオンになる（＃３５）。トランジスタＱ３，Ｑ５がオンし（＃３６）、スイッチ素子Ｑ２がオフする（＃３７）。
【００６４】
また、操作スイッチＳＷ１をオンしたときにスイッチ素子Ｑ２がオフであれば（＃３２でノー）、トランジスタＱ７，Ｑ８がオンし（＃３８）、これによってトランジスタＱ４がオフする（＃３９）。そして、トランジスタＱ３，Ｑ５がオフし（＃４０）、スイッチ素子Ｑ２がオンする（＃４１）。
【００６５】
このように、主負荷回路１４が通常の動作を行っているときに、操作スイッチＳＷ１を操作すると、ＭＰＵ１４１の処理によって疑似的に過電流が検出された状態とし、スイッチ回路１１Ｃをオフにして電源を遮断する。そして、その状態をラッチ回路１５Ｃによって保持する。また、主負荷回路１４に電力が供給されていないときに、操作スイッチＳＷ１を操作すると、ラッチ回路１５Ｃのラッチを解除し、疑似的に過電流が復帰した状態とし、スイッチ回路１１Ｃをオンして電源を接続する。
【００６６】
電子機器１０Ｃにおいては、アブノーマルラッチ回路として通常設けられているスイッチ回路１１Ｃ、過電流検出回路１２Ｃ、ラッチ回路１５Ｃに、バッファ回路２１１Ｃおよびオフ指令信号Ｓ３のための処理および回路を追加することのみで、簡単に省電力制御を行うことができる。したがって、コストパフォーマンスが非常によい。
【００６７】
また、ファームウエア制御においても、スイッチ回路１１ＣがオフになるとＭＰＵ１４１自身の電源もオフになり、また、ＭＰＵ１４１が動作中において省電力制御のための関しを行う必要がないので、構成が極めて簡単である。
【００６８】
このように、第３の実施形態の電子機器１０Ｃにおいても、省電力制御のための専用のＭＰＵを用いることなく、簡単な構成で省電力制御を行うことができる。
【００６９】
上述の実施形態において、操作スイッチＳＷ１をａ接点型としたが、ｂ接点型、ｃ接点型でもよい。各種の信号は、オンの状態が「１」または「０」のいずれであってもよい。省電力制御回路ＳＫ１〜３、電子機器１０，１０Ｂ，１０Ｃの回路構成は、上に述べた以外に種々の回路構成とすることができる。
【００７０】
上の実施形態においては、ＡＣアダプタ４が外付けである例について説明したが、ＡＣアダプタ４が電子機器の内部に設けられていてもよい。また、ＡＣアダプタ４が直流電力Ｐ２を出力する例を説明したが、ＡＣアダプタ４が交流電力を出力するものであってもよい。つまり、本発明は、直流電力で動作する電子機器について説明したが、交流電力で動作する電子機器についても同様に適用することができる。
【００７１】
以上説明した実施形態に関し、さらに以下の付記を開示する。
（付記１）主負荷回路、前記主負荷回路に流れる過電流を検出する過電流検出回路、および、前記過電流検出回路が過電流を検出したときに外部の電源から前記主負荷回路へ供給される負荷電流をオフするためのスイッチ回路を有した電子機器における省電力のための制御方法であって、
前記スイッチ回路がオフであっても前記電源から電流が供給されて動作するラッチ回路を設け、前記ラッチ回路がラッチ状態であるときに前記スイッチ回路をオフし、ラッチ解除状態であるときに前記スイッチ回路をオンするように制御し、
前記スイッチ回路がオンであるときに自動復帰型の操作スイッチが操作されることによって、前記主負荷回路におけるオフ処理動作を実行させて前記ラッチ回路をラッチ状態とし、これによって前記スイッチ回路をオフし、
前記スイッチ回路がオフであるときに自動復帰型の操作スイッチが操作されることによって、前記ラッチ回路をラッチ解除状態とし、これによって前記スイッチ回路をオンする、
ことを特徴とする電子機器における省電力制御方法。
（付記２）前記ラッチ回路は、前記過電流検出回路が過電流を検出したときにラッチ状態となり、これによって前記スイッチ回路をオフする、
付記１記載の電子機器における省電力制御方法。
（付記３）主負荷回路、前記主負荷回路に流れる過電流を検出する過電流検出回路、および、前記過電流検出回路が過電流を検出したときに外部の電源から前記主負荷回路へ供給される負荷電流をオフするためのスイッチ回路を有した電子機器における省電力のための制御装置であって、
前記スイッチ回路がオフであっても前記電源から電流が供給されてラッチ状態とラッチ解除状態とが切り換わるように動作し、ラッチ状態であるときに前記スイッチ回路をオフし、ラッチ解除状態であるときに前記スイッチ回路をオンするラッチ回路と、
前記スイッチ回路がオンであるときに操作されることによって、前記主負荷回路におけるオフ処理動作を実行させて前記ラッチ回路をラッチ状態とし、前記スイッチ回路がオフであるときに操作されることによって、前記ラッチ回路をラッチ解除状態とする、自動復帰型の操作スイッチと、
を有してなることを特徴とする電子機器における省電力制御装置。
（付記４）主負荷回路と、
前記主負荷回路に流れる過電流を検出する過電流検出回路と、
前記過電流検出回路が過電流を検出したときに、外部の電源から前記主負荷回路へ供給される負荷電流をオフするためのスイッチ回路と、
前記スイッチ回路がオフであっても前記電源から電流が供給されてラッチ状態とラッチ解除状態とが切り換わるように動作し、前記過電流検出回路が過電流を検出したときにラッチ状態となって前記スイッチ回路をオフし、ラッチ解除状態となったときに前記スイッチ回路をオンするラッチ回路と、
自動復帰型の操作スイッチと、を有し、
前記スイッチ回路がオンであって前記主負荷回路が動作しているときに前記操作スイッチが操作されることによって、前記主負荷回路においてオフ処理動作が実行されて前記ラッチ回路をラッチ状態に切り換え、前記スイッチ回路がオフであって前記主負荷回路が動作していないときに前記操作スイッチが操作されることによって、前記ラッチ回路をラッチ解除状態に切り換えるように制御されてなる、
ことを特徴とする省電力型電子機器。
（付記５）前記主負荷回路はマイクロプロセッサを含んでおり、前記操作スイッチが操作されることによって、前記マイクロプロセッサが前記オフ処理動作を実行するように構成され、
前記過電流検出回路が過電流を検出したときに出力される検出信号と、前記マイクロプロセッサが前記オフ処理動作を実行することによって出力されるオフ指令信号との論理和を得るオア回路が設けられ、前記オア回路から出力されるオフ指令信号によって前記ラッチ回路を切り換えるように構成されてなる、
付記４記載の省電力型電子機器。
（付記６）前記電子機器はディスプレイ装置であり、前記操作スイッチは表示面の周囲のフロントパネルに設けられている、
付記４または５記載の省電力型電子機器。
（付記７）前記操作スイッチにバッファ回路が設けられており、前記操作スイッチを操作したときに、前記バッファ回路を介して前記ラッチ回路をリセットしてラッチ解除状態に切り換える、付記４ないし６記載の省電力型電子機器。
【産業上の利用可能性】
【００７２】
テレビジョン、パーソナルコンピュータ、それらのモニターなど、種々の電子機器の待機電力を低減するための省電力制御に利用される。
【図面の簡単な説明】
【００７３】
【図１】本発明に係る第１の実施形態の省電力制御回路を内蔵した電子機器の全体の構成を機能的に示すブロック図である。
【図２】電子機器の外観を示す斜視図である。
【図３】電子機器の主として省電力制御動作を示すタイミング図である。
【図４】電子機器の省電力制御動作を示すフローチャートである。
【図５】電子機器の過電流検出時の動作を示すフローチャートである。
【図６】本発明に係る第２の実施形態の省電力制御回路を内蔵した電子機器の全体の構成を機能的に示すブロック図である。
【図７】本発明に係る第３の実施形態の省電力制御回路を内蔵した電子機器の全体の構成を機能的に示すブロック図である。
【図８】省電力制御動作を示すタイミング図である。
【図９】省電力制御動作を示すフローチャートである。
【符号の説明】
【００７４】
１０，１０Ｂ、１０Ｃ  電子機器
１１，１１Ｂ、１１Ｃ  スイッチ回路
１２，１２Ｂ、１２Ｃ  過電流検出回路
１３，１３Ｂ、１３Ｃ  主電源回路
１４，１４Ｂ、１４Ｃ  主負荷回路
１５，１５Ｂ、１５Ｃ  ラッチ回路
１５１，１５１Ｂ、１５１Ｃ  オア回路
１５２，１５２Ｂ、１５２Ｃ  ラッチ部
１４１  ＭＰＵ（マイクロプロセッサ）
ＳＷ１  操作スイッチ
Ｓ２  検出信号
Ｓ３  オフ指令信号
Ｓ４  トリップ信号
【図１】
2005312162.tif 000003
【図２】
2005312162.tif 000004
【図３】
2005312162.tif 000005
【図４】
2005312162.tif 000006
【図５】
2005312162.tif 000007
【図６】
2005312162.tif 000008
【図７】
2005312162.tif 000009
【図８】
2005312162.tif 000010
【図９】
2005312162.tif 000011